(57)【要約】【課題】利用者への情報提示の機会を増やす。【解決手段】親機１の制御部１５は、センタ装置３から最新の情報が送信されてきた場合は当該情報の画像データを、センタ装置３から最新情報送信不要の通知が送信されてきた場合はメモリ部１７に記憶している最新の情報の画像データを、それぞれモニタ部１２に表示させる。故に、子機２によって撮像された来訪者の画像とともにセンタ装置３から送信される最新の情報が親機１のモニタ部１２に表示されるので、利用者（住戸の住人）が意図的に親機１を操作しなくてもセンタ装置３から送信される最新の情報を利用者に提示することができ、その結果、利用者への情報提示の機会を増やすことができる。【選択図】図１
2010034805.tif 000002
【特許請求の範囲】
【請求項１】
住戸の屋外に設置されるカメラ付きインターホン子機と、住戸の屋内に設置されるとともにカメラ付きインターホン子機との間で音声を授受し且つカメラ付きインターホン子機において撮像された画像を表示するインターホン親機と、ネットワークを介してインターホン親機との間で情報を授受するセンタ装置とを有し、
カメラ付きインターホン子機は、来訪者による呼出の操作入力を受け付ける呼出操作入力受付手段と、呼出操作入力受付手段で呼出操作入力が受け付けられたときに呼出信号を送信する呼出信号送信手段と、来訪者を撮像する撮像手段と、撮像手段で撮像された画像をインターホン親機へ伝送する画像伝送手段と、来訪者が発する音声を音声信号に変換してインターホン親機へ送信するとともにインターホン親機から受信した音声信号を音声に変換して鳴動させる通話手段とを備え、
インターホン親機は、インターホン子機から送信される呼出信号を受信したときに呼出音を鳴動させる呼出音鳴動手段と、種々の操作入力を受け付ける操作入力受付手段と、カメラ付きインターホン子機から受け取る画像を表示する表示手段と、住戸内の通話者が発する音声を音声信号に変換してカメラ付きインターホン子機へ送信するとともにカメラ付きインターホン子機から受信した音声信号を音声に変換して鳴動させる通話手段と、ネットワークを介してセンタ装置と情報通信を行う情報通信手段と、前記呼出信号を受信したときに最新情報の送信を要求するコマンドを情報通信手段よりセンタ装置へ送信させる制御手段とを備え、
センタ装置は、ネットワークを介してインターホン親機との間で情報通信を行う情報通信手段と、インターホン親機に送信する種々の情報を記憶する記憶手段と、情報通信手段で前記コマンドを受信したときに記憶手段に記憶されている最新の情報を情報通信手段より当該インターホン親機へ送信させる制御手段とを備え、
インターホン親機の制御手段は、カメラ付きインターホン子機から受け取る画像とともにセンタ装置から送信された最新の情報を表示手段に表示させることを特徴とするインターホンシステム。
【請求項２】
インターホン親機の制御手段は、カメラ付きインターホン子機との通話が終了した後に前記情報のみを表示手段の表示画面全体に表示させることを特徴とする請求項１記載のインターホンシステム。
【請求項３】
センタ装置からインターホン親機へ伝送される情報に音声情報が含まれており、インターホン親機は、音声情報を音声に変換して鳴動する音声鳴動手段を備え、インターホン親機の制御手段は、表示手段に前記情報を表示させるときに前記音声情報を音声鳴動手段に鳴動させることを特徴とする請求項２記載のインターホンシステム。
【請求項４】
インターホン親機の制御手段は、操作入力受付手段が情報の提示を要求するための操作入力を受け付けたときに情報通信手段より前記コマンドをセンタ装置へ送信させ、当該コマンドに応じてセンタ装置から送信される最新の情報を表示手段に表示させることを特徴とする請求項１〜３の何れか１項に記載のインターホンシステム。
【請求項５】
インターホン親機は、情報通信手段によってセンタ装置から受け取った情報を記憶する記憶手段を備え、インターホン親機の制御手段は、記憶手段に記憶している情報を選択する操作入力が操作入力受付手段で受け付けられたときに当該操作入力によって選択された情報を記憶手段から読み出して表示手段に表示させることを特徴とする請求項１〜４の何れか１項に記載のインターホンシステム。
【発明の詳細な説明】
【技術分野】
【０００１】
本発明は、インターホンシステムに関するものである。
【背景技術】
【０００２】
従来のインターホンシステムとして、特許文献１に記載されているようなものがある。この従来システムはマンションなどの集合住宅用のインターホンシステムであって、集合住宅の共同玄関（ロビー）に設置される集合玄関機、管理室などに設置される情報サーバ、各住戸に設置される生活情報盤（インターホン親機）および生活情報盤、集合玄関機を制御する制御装置を備えている。情報サーバは、生活情報盤の操作部の操作により起動され、集合住宅内の施設利用を行なうための予約機能、情報サーバに保存された各種情報を取得するための情報取得機能、契約店舗への注文機能等の各種機能を実行する機能を有している。
【特許文献１】特開２００４−１２８６２４号公報
【発明の開示】
【発明が解決しようとする課題】
【０００３】
しかしながら、特許文献１に記載されている従来例では、利用者（住戸の住人）が情報サーバから種々の情報を取得する意図を持って生活情報盤の操作部を操作しなければ、情報サーバから提供される種々の情報を生活情報盤で表示することができなかった。そのため、例えば情報サーバから商品やサービスの広告情報を配信する場合、当該広告情報が利用者に提示される機会が非常に少なくなってしまい、広告主にとっての費用対効果が極めて低いものであった。
【０００４】
本発明は上記事情に鑑みて為されたものであり、その目的は、利用者への情報提示の機会を増やすことができるインターホンシステムを提供することにある。
【課題を解決するための手段】
【０００５】
請求項１の発明は、上記目的を達成するために、住戸の屋外に設置されるカメラ付きインターホン子機と、住戸の屋内に設置されるとともにカメラ付きインターホン子機との間で音声を授受し且つカメラ付きインターホン子機において撮像された画像を表示するインターホン親機と、ネットワークを介してインターホン親機との間で情報を授受するセンタ装置とを有し、カメラ付きインターホン子機は、来訪者による呼出の操作入力を受け付ける呼出操作入力受付手段と、呼出操作入力受付手段で呼出操作入力が受け付けられたときに呼出信号を送信する呼出信号送信手段と、来訪者を撮像する撮像手段と、撮像手段で撮像された画像をインターホン親機へ伝送する画像伝送手段と、来訪者が発する音声を音声信号に変換してインターホン親機へ送信するとともにインターホン親機から受信した音声信号を音声に変換して鳴動させる通話手段とを備え、インターホン親機は、インターホン子機から送信される呼出信号を受信したときに呼出音を鳴動させる呼出音鳴動手段と、種々の操作入力を受け付ける操作入力受付手段と、カメラ付きインターホン子機から受け取る画像を表示する表示手段と、住戸内の通話者が発する音声を音声信号に変換してカメラ付きインターホン子機へ送信するとともにカメラ付きインターホン子機から受信した音声信号を音声に変換して鳴動させる通話手段と、ネットワークを介してセンタ装置と情報通信を行う情報通信手段と、前記呼出信号を受信したときに最新情報の送信を要求するコマンドを情報通信手段よりセンタ装置へ送信させる制御手段とを備え、センタ装置は、ネットワークを介してインターホン親機との間で情報通信を行う情報通信手段と、インターホン親機に送信する種々の情報を記憶する記憶手段と、情報通信手段で前記コマンドを受信したときに記憶手段に記憶されている最新の情報を情報通信手段より当該インターホン親機へ送信させる制御手段とを備え、インターホン親機の制御手段は、カメラ付きインターホン子機から受け取る画像とともにセンタ装置から送信された最新の情報を表示手段に表示させることを特徴とする。
【０００６】
請求項１の発明によれば、カメラ付きインターホン子機によって撮像された来訪者の画像とともにセンタ装置から送信される最新の情報が表示手段に表示されるので、利用者（住戸の住人）が意図的にインターホン親機を操作しなくてもセンタ装置から送信される最新の情報を利用者に提示することができ、その結果、利用者への情報提示の機会を増やすことができる。
【０００７】
請求項２の発明は、請求項１の発明において、インターホン親機の制御手段は、カメラ付きインターホン子機との通話が終了した後に前記情報のみを表示手段の表示画面全体に表示させることを特徴とする。
【０００８】
請求項２の発明によれば、利用者に対して情報をより正確且つ詳細に認識させることができる。
【０００９】
請求項３の発明は、請求項２の発明において、センタ装置からインターホン親機へ伝送される情報に音声情報が含まれており、インターホン親機は、音声情報を音声に変換して鳴動する音声鳴動手段を備え、インターホン親機の制御手段は、表示手段に前記情報を表示させるときに前記音声情報を音声鳴動手段に鳴動させることを特徴とする。
【００１０】
請求項３の発明によれば、視覚的な情報とともに音声情報を利用者に提示することで情報をさらに正確且つ詳細に認識させることができる。
【００１１】
請求項４の発明は、請求項１〜３の何れか１項の発明において、インターホン親機の制御手段は、操作入力受付手段が情報の提示を要求するための操作入力を受け付けたときに情報通信手段より前記コマンドをセンタ装置へ送信させ、当該コマンドに応じてセンタ装置から送信される最新の情報を表示手段に表示させることを特徴とする。
【００１２】
請求項４の発明によれば、利用者の要求に応じて情報を提示させることができる。
【００１３】
請求項５の発明は、請求項１〜４の何れか１項の発明において、インターホン親機は、情報通信手段によってセンタ装置から受け取った情報を記憶する記憶手段を備え、インターホン親機の制御手段は、記憶手段に記憶している情報を選択する操作入力が操作入力受付手段で受け付けられたときに当該操作入力によって選択された情報を記憶手段から読み出して表示手段に表示させることを特徴とする。
【００１４】
請求項５の発明によれば、利用者によって選択された情報を提示させることができる。
【発明の効果】
【００１５】
本発明によれば、利用者への情報提示の機会を増やすことができる。
【発明を実施するための最良の形態】
【００１６】
以下、図面を参照して本発明の実施形態を詳細に説明する。
【００１７】
本実施形態のインターホンシステムは、図１に示すように、住戸の屋外に設置されるカメラ付きインターホン子機（以下、「子機」と略す。）２と、住戸の屋内に設置されるとともに子機２との間で音声を授受し且つ子機２において撮像された画像を表示するインターホン親機（以下、「親機」と略す。）１と、ネットワーク（本実施形態ではインターネット）を介して親機１との間で情報を授受するセンタ装置３とを有している。
【００１８】
子機２は、マイクロホン２０ａ並びにスピーカ２０ｂと、２線−４線変換回路を含み、マイクロホン２０ａから出力する音声信号を信号処理するとともに信号線Ｌｓを介して伝送される音声信号を信号処理してスピーカ２０ｂから音声を鳴動させる音声信号処理部２０と、ＣＣＤやＣＭＯＳ等の固体撮像素子とレンズ等の光学系を有し来訪者を撮像するカメラ部２１と、カメラ部２１から出力する映像信号を音声信号よりも高い周波数で周波数変調するとともに周波数変調された映像信号を信号線Ｌｓを介して伝送する映像信号送信部２２と、音声信号処理部２０から出力する音声信号と映像信号送信部２２から出力する映像信号を周波数多重化して信号線Ｌｓに送出するとともに、信号線Ｌｓを介して親機１から伝送される音声信号を分離する多重分離部２３と、信号線Ｌｓを介して呼出信号を送信する呼出信号送信部２４と、マイコンを主構成要素とし全体の動作制御を行う制御部２５と、呼出釦（図示せず）の操作入力を受け付けて制御部２５に対して操作信号を出力する操作入力受付部２６と、信号線Ｌｓを介して親機１から給電される電力で各部の動作電源を作成する電源部２７とを備えている。
【００１９】
親機１は、マイクロホン１０ａ並びにスピーカ１０ｂと、子機２との拡声通話のために音声信号を処理する音声信号処理部１０と、２線−４線変換回路を含み、マイクロホン１０ａから出力されて音声信号処理部１０で処理された音声信号（送話信号）を信号線Ｌｓを介して子機２に伝送するとともに、信号線Ｌｓを介して子機２から多重伝送される音声信号と映像信号を分離する多重分離部１１と、液晶ディスプレイのような表示デバイスを有するモニタ部１２と、多重分離部１１で分離された映像信号を復調するとともに復調した映像信号を信号処理してモニタ部１２に表示させる映像信号処理部１３と、信号線Ｌｓを介して子機２から送信されてくる呼出信号を受信する呼出信号受信部１４と、マイコンを主構成要素とし各部の動作を制御する制御部１５と、後述するように子機２からの呼出に応答して通話を開始する際に操作される通話スイッチなどの操作スイッチの操作入力を受け付ける操作入力受付部１６と、ＥＥＰＲＯＭなどの書換可能な不揮発性メモリからなり制御部１５のマイコンが実行するプログラムなどを格納するメモリ部１７と、後述するようにセンタ装置３との間でインターネットを介した情報通信（ネットワーク通信）を行うための通信インターフェース（Ｉ／Ｆ）部１８とを備えている。なお、親機１の各部の動作電源は、図示しない電源回路によって商用電源から作成される。
【００２０】
親機１から子機２への給電電圧（直流電圧）は、子機２が通話状態あるいはモニタ状態の何れでもないときはシステムの低消費電力化を図るために相対的に低い状態とされ、通話状態やモニタ状態では相対的に高い状態とされる。以下、給電電圧の低い状態のことを待機給電状態と呼び、給電電圧の高い状態のことを動作給電状態と呼ぶ。子機２においては、待機給電状態にあるときは制御部２５のマイコンがスタンバイ状態で操作入力受付部２６から操作信号が出力されるのを待っており、呼出釦が操作されて操作入力受付部２６から操作信号が出力されると、制御部２５は呼出信号送信部２４を制御して、信号線Ｌｓの線間電圧を待機給電状態よりもさらに低い電圧に低下させることで親機１に呼出信号を伝送する。そして、呼出信号を受信した親機１が給電電圧を待機給電状態から動作給電状態に移行すると、制御部２５のマイコンがスタンバイ状態から通常状態に復帰し、カメラ部２１並びに映像信号送信部２２を起動して映像信号を信号線Ｌｓを介して親機１に送信するとともに音声信号処理部２０を起動して音声信号の送受、すなわち、通話が可能な状態となる。また、親機１において子機２をモニタ状態とする操作入力が受け付けられることで給電電圧を待機給電状態から動作給電状態に移行した場合、制御部２５のマイコンがスタンバイ状態から通常状態に復帰し、カメラ部２１並びに映像信号送信部２２を起動して映像信号を信号線Ｌｓを介して親機１に送信することで子機２のカメラ部２１で撮像した映像を親機１でモニタできるようになっている。
【００２１】
一方、親機１の通信Ｉ／Ｆ部１８にはツイストペアケーブルからなるＬＡＮケーブルＬｘを介してネットワーク通信機器４が接続される。ネットワーク通信機器４は、電話線や光ファイバあるいは同軸ケーブルなどの通信媒体を介してインターネットに接続された他の通信機器との間でネットワーク通信を行うものであって、具体的には、電話線を通信媒体とするＡＤＳＬモデムや光ファイバを通信媒体とするＯＮＵ（光回線終端装置）、あるいは同軸ケーブルを通信媒体とするケーブルモデム等である。
【００２２】
センタ装置３は、ネットワーク通信機能を有した汎用のコンピュータ装置からなり、ＣＰＵを主構成要素とする制御部３０と、インターネットを介してネットワーク通信を行うための通信インターフェース（Ｉ／Ｆ）部３１と、ハードディスク装置などの大容量の記憶装置からなる記憶部３２とを備えている。
【００２３】
センタ装置３の記憶部３２には、親機１に伝送される種々の情報（データ）が記憶され、それらの情報を効率よく管理するためのデータベースが構築されている。かかる情報は、例えば、商品やサービスの広告に関する情報であって、具体的には商品の写真を含む画像情報（画像データ）や商品の機能などを紹介する音声メッセージなどの音声情報（音声データ）などである。但し、センタ装置３の記憶部３２に記憶される情報は上述のような広告に関する情報に限られず、例えば、天気予報や注意報、警報などの気象情報などであってもよい。また、画像情報には動画や静止画の他に文字やバーコード、ＱＲコードなども含まれる。
【００２４】
センタ装置３の記憶部３２に構築されるデータベースは、それぞれの情報が登録される際に付与された固有の識別符号（ＩＤ）によって各情報を管理している。具体的には、各情報のＩＤに登録の日時（タイムスタンプ）が対応付けられるとともに、画像データ及び音声データについては、それぞれのデータの種別（動画又は静止画、画像や音声の圧縮方式など）と各データの先頭アドレスとデータサイズとが対応付けられている。そして、センタ装置３の制御部３０は、後述するように記憶部３２のデータベースに登録されている情報（画像データ並びに音声データ）を当該情報に付与されたＩＤ並びにタイムスタンプとともに通信Ｉ／Ｆ部３１よりインターネットを介して親機１へ送信する。なお、親機１の制御部１５は、センタ装置３から送信される情報を通信Ｉ／Ｆ部１８で受信し、当該情報（タイムスタンプを含む）をそのＩＤと対応付けてメモリ部１７に記憶する。
【００２５】
次に、来訪者が子機２の呼出釦を操作した際の動作について、図２及び図３を参照して詳細に説明する。
【００２６】
まず、来訪者によって呼出釦が操作されると、既に説明したように子機２から信号線Ｌｓを介して親機１に呼出信号が送信される。親機１の制御部１５は、呼出信号受信部１４で呼出信号を受信することで来訪者による呼出を検出すると、音声信号処理部１０を介してスピーカ１０ｂから呼出音を鳴動させるとともに、給電電圧を待機給電状態から動作給電状態に移行することで子機２から映像信号を送信させ、子機２から受け取った映像をモニタ部１２に表示させる。さらに親機２の制御部１５は、既にセンタ装置３から送信されてメモリ部１７に記憶している情報のうちで最新のタイムスタンプに対応したＩＤを調べ、当該ＩＤを通信Ｉ／Ｆ部１８よりインターネットを介してセンタ装置３へ送信する。なお、呼出音を聞いた住戸の住人（利用者）が親機１の通話スイッチを操作すれば、制御部１５が音声信号処理部１０を起動して子機２との間で音声信号の送受信（通話）を可能とする。
【００２７】
センタ装置３の制御部３０は、親機１から受け取ったＩＤに対応付けられているタイムスタンプよりも新しいタイムスタンプに対応付けられているＩＤの有無を記憶部３２のデータベースから検索する。そして、新しいタイムスタンプに対応付けられているＩＤが見つかれば、センタ装置３の制御部３０は当該ＩＤが付与されている最新の情報（タイムスタンプを含む）を記憶部３２から読み出して通信Ｉ／Ｆ部３１よりインターネットを介して親機１へ送信する。一方、新しいタイムスタンプに対応付けられているＩＤが見つからなければ、センタ装置３の制御部３０はその旨の通知（最新情報送信不要の通知）を通信Ｉ／Ｆ部３１よりインターネットを介して親機１へ送信する。
【００２８】
一方、親機１の制御部１５は、センタ装置３から最新の情報が送信されてきた場合は当該情報の画像データを、センタ装置３から最新情報送信不要の通知が送信されてきた場合はメモリ部１７に記憶している最新の情報の画像データを、それぞれモニタ部１２に表示させる。このとき、モニタ部１２には子機２から送信された画像（来訪者を撮像した動画像）が表示されているので、制御部１５では、図３（ａ）に示すように子機２から受け取った画像Ｐ１を画面全体に表示するとともにセンタ装置３から受け取った画像データ若しくはメモリ部１７から読み出した画像データから構成した画像Ｐ２を画面の一部（図示例では右上隅）に縮小して表示する。よって、親機１によって来訪者と通話している利用者にセンタ装置３から親機１へ送信した情報（画像情報）を提示することができる。なお、図示例では商品の広告に関する情報（商品の写真と商品名を示す文字＜図示せず＞）をモニタ部１２に表示している。
【００２９】
親機１の制御部１５は、通話スイッチが操作されてから一定時間（例えば、数分間）が経過するか、あるいは当該一定時間内に通話スイッチが再度操作されると、子機２への給電状態を動作給電状態から待機給電状態に戻すとともに音声信号処理部１０の動作を停止して通話を終了させる。さらに制御部１５では、通話終了と同時に画像Ｐ２をモニタ部１２の画面全体に拡大して表示するとともに（図３（ｂ）参照）、センタ装置３から最新の情報が送信されてきた場合は当該情報の音声データを復調した音声を、センタ装置３から最新情報送信不要の通知が送信されてきた場合はメモリ部１７に記憶している最新の情報の音声データを復調した音声を、それぞれ音声信号処理部１０を介してスピーカ１０ｂより鳴動させる。このきにスピーカ１０ｂから鳴動される音声は、画像Ｐ２に対応した商品広告の音声メッセージ（商品名や価格、商品の特徴や機能などを説明するメッセージ等）である。なお、制御部１５ではセンタ装置３から最新の情報を受け取った場合、当該最新情報をメモリ部１７に記憶する。そして、親機１の制御部１５は、通話終了から所定時間（例えば、数秒間〜数十秒間）が経過した時点で画像Ｐ２の表示と音声メッセージの鳴動を停止する。
【００３０】
上述のように本実施形態によれば、子機２によって撮像された来訪者の画像とともにセンタ装置３から送信される最新の情報（画像Ｐ２）が親機１のモニタ部１２に表示されるので、利用者（住戸の住人）が意図的に親機１を操作しなくてもセンタ装置３から送信される最新の情報を利用者に提示することができ、その結果、利用者への情報提示の機会を増やすことができる。また、子機２との通話が終了した後に前記情報（画像Ｐ２）のみをモニタ部１２の表示画面全体に表示させるので、利用者に対して情報をより正確且つ詳細に認識させることができる。さらに、通話終了後には最新情報に含まれる音声情報を親機１のスピーカ１０ｂから鳴動させるので、視覚的な情報（画像Ｐ２）とともに音声情報を利用者に提示することで情報をさらに正確且つ詳細に認識させることができる。
【００３１】
ところで、利用者が自らの意思で最新の情報を知りたいと考えた場合、親機１に設けられている操作スイッチ（情報提示スイッチ）を操作すればよい。以下、図４を参照して動作を説明する。
【００３２】
利用者によって情報提示スイッチが操作されて操作入力受付部１６から操作信号が出力されると、親機２の制御部１５は、既にセンタ装置３から送信されてメモリ部１７に記憶している情報のうちで最新のタイムスタンプに対応したＩＤを調べ、当該ＩＤを通信Ｉ／Ｆ部１８よりインターネットを介してセンタ装置３へ送信する。
【００３３】
センタ装置３の制御部３０は、親機１から受け取ったＩＤに対応付けられているタイムスタンプよりも新しいタイムスタンプに対応付けられているＩＤの有無を記憶部３２のデータベースから検索する。そして、新しいタイムスタンプに対応付けられているＩＤが見つかれば、センタ装置３の制御部３０は当該ＩＤが付与されている最新の情報（タイムスタンプを含む）を記憶部３２から読み出して通信Ｉ／Ｆ部３１よりインターネットを介して親機１へ送信する。一方、新しいタイムスタンプに対応付けられているＩＤが見つからなければ、センタ装置３の制御部３０は最新情報送信不要の通知を通信Ｉ／Ｆ部３１よりインターネットを介して親機１へ送信する。
【００３４】
一方、親機１の制御部１５は、センタ装置３から最新の情報が送信されてきた場合は当該情報の画像データを、センタ装置３から最新情報送信不要の通知が送信されてきた場合はメモリ部１７に記憶している最新の情報の画像データを、それぞれモニタ部１２に全画面表示させる。さらに制御部１５では、センタ装置３から最新の情報が送信されてきた場合は当該情報の音声データを復調した音声を、センタ装置３から最新情報送信不要の通知が送信されてきた場合はメモリ部１７に記憶している最新の情報の音声データを復調した音声を、それぞれ音声信号処理部１０を介してスピーカ１０ｂより鳴動させる。なお、制御部１５ではセンタ装置３から最新の情報を受け取った場合、当該最新情報をメモリ部１７に記憶する。そして、親機１の制御部１５は、所定時間（例えば、数秒間〜数十秒間）が経過した時点で画像の表示と音声メッセージの鳴動を停止する。
【００３５】
ここで、前記所定時間内に利用者が再度情報提示スイッチを操作した場合、制御部１５は、メモリ部１７に記憶している情報のうちでタイムスタンプが２番目に新しい情報（画像データ並びに音声データ）を読み出し、当該画像をモニタ部１２に全画面表示させるとともに当該音声をスピーカ１０ｂから鳴動させる。つまり、利用者が情報提示スイッチを操作することによって、メモリ部１７に記憶している複数の情報のうちから任意の一つを選択して親機１に提示させることができるのである。
【図面の簡単な説明】
【００３６】
【図１】本発明の実施形態を示すシステム構成図である。
【図２】同上の動作説明用のシーケンス図である。
【図３】（ａ），（ｂ）は同上における親機の画面表示説明用の説明図である。
【図４】同上の動作説明用のシーケンス図である。
【符号の説明】
【００３７】
１  インターホン親機
２  カメラ付きインターホン子機
３  センタ装置
１０  音声信号処理部（通話手段，呼出音鳴動手段）
１２  モニタ部（表示手段）
１３  映像信号処理部（表示手段）
１４  呼出信号受信部（呼出音鳴動手段）
１５  制御部（制御手段）
１８  通信インターフェース部（情報通信手段）
３０  制御部（制御手段）
３１  通信インターフェース部（情報通信手段）
３２  記憶部（記憶手段）
【図１】
2010034805.tif 000003
【図２】
2010034805.tif 000004
【図３】
2010034805.tif 000005
【図４】
2010034805.tif 000006